(57)【要約】  測定対象の状態を検出する検出装置の設置及び／又は作業者の作業内容の連絡に係る作業を簡素化する状態収集システムを提供する。  プラント機器状態収集システム１は、検出装置１０と、ネットワーク構築装置２０と、データ記憶装置３０と、データ記憶カード５０と、携帯端末４０と、を備える。データ記憶カード５０は、情報を格納し、かつ、携帯端末４０と非接触で通信可能であり、携帯端末４０は、データ記憶カード５０から前記情報を非接触で自動的に読み取り可能であり、かつ、検出装置１０のタグ部１４に読み取った前記情報を非接触で自動的に格納させることが可能なタグ制御部４２を有し、検出装置１０は、タグ部１４に前記情報が格納された場合に、所定の動作を行う。
2018079306.tif 000002
【特許請求の範囲】
【請求項１】
検出装置と、ネットワーク構築装置と、データ記憶装置と、データ記憶カードと、携帯端末と、を備え、
前記検出装置は、所定の測定対象の状態を検出する検出部と、所定の情報を非接触で記憶可能なタグ部とを有し、少なくとも前記検出部が検出した前記状態及び前記検出装置を特定する検出装置特定情報を、前記ネットワーク構築装置によって構築されるネットワークを介して前記ネットワーク構築装置に送信し、
前記データ記憶装置は、少なくとも前記ネットワーク構築装置から受信する前記状態及び前記検出装置特定情報を格納する記憶部を有し、
前記データ記憶カードは、前記情報を格納し、かつ、前記携帯端末と非接触で通信可能であり、
前記携帯端末は、前記データ記憶カードから前記情報を非接触で自動的に読み取り可能であり、かつ、前記検出装置の前記タグ部に読み取った前記情報を非接触で自動的に格納させることが可能なタグ制御部を有し、
前記検出装置は、前記タグ部に前記情報が格納された場合に、所定の動作を行う、
ことを特徴とする状態収集システム。
【請求項２】
前記データ記憶カードとして、前記情報として前記ネットワークに接続するためのネットワーク特定情報を含むネットワーク情報を格納する第１のデータ記憶カードを少なくとも含み、
前記検出装置は、前記タグ部に前記ネットワーク情報が格納された場合に、前記ネットワーク構築装置に少なくとも前記ネットワーク特定情報を送信し、
前記ネットワーク構築装置は、前記ネットワーク特定情報を用いて前記検出装置の前記ネットワークへの接続を許可するか否かを判定する、
ことを特徴とする請求項１に記載の状態収集システム。
【請求項３】
前記データ記憶カードとして、前記情報として前記検出部の種類を示す種類情報を格納する第２のデータ記憶カードをさらに含み、
前記携帯端末の前記タグ制御部は、前記第１のデータ記憶カードから前記ネットワーク情報を非接触で自動的に読み取った後に、前記第２のデータ記憶カードから前記種類情報を自動的に読み取り可能となり、かつ、前記検出装置の前記タグ部に読み取った前記ネットワーク情報と前記種類情報とを非接触で自動的に格納させることが可能であり、
前記検出装置は、前記タグ部に格納された前記種類情報に対応する検出部が検出した前記状態及び前記検出装置特定情報を、前記ネットワークを介して前記ネットワーク構築装置に送信する、
ことを特徴とする請求項２に記載の状態収集システム。
【請求項４】
前記データ記憶カードとして、前記情報として作業者を特定する作業者特定情報を格納する第３のデータ記憶カードと、前記情報として作業者の作業内容を示す作業内容情報を格納する第４のデータ記憶カードと、をさらに含み、
前記携帯端末の前記タグ制御部は、前記第３のデータ記憶カードから前記作業者特定情報を非接触で自動的に読み取り可能であるとともに、前記作業者特定情報を読み取った後に、前記第４のデータ記憶カードから前記作業内容情報を読み取り可能となり、かつ、前記検出装置の前記タグ部に読み取った前記作業者特定情報と前記作業内容情報を非接触で自動的に格納させることが可能であり、
前記検出装置は、前記タグ部に格納された前記作業者特定情報及び前記作業内容情報と前記検出装置特定情報とを、前記ネットワークを介して前記ネットワーク構築装置に送信し、
前記データ記憶装置は、前記ネットワーク構築装置から受信した前記作業者特定情報と前記作業内容情報と前記検出装置特定情報とを前記記憶部に格納する、
ことを特徴とする請求項１に記載の状態収集システム。
【請求項５】
前記データ記憶カードは、第１のパスワード情報を格納し、前記携帯端末の前記タグ制御部に対して前記第１のパスワード情報を認証した場合に、前記携帯端末の前記タグ制御部に対して前記情報の読み取りを許可する、
ことを特徴とする請求項１に記載の状態収集システム。
【請求項６】
前記検出装置の前記タグ部は、第２のパスワード情報を格納し、前記携帯端末の前記タグ制御部に対して前記第２のパスワード情報を認証した場合に、前記携帯端末の前記タグ制御部に対して前記情報の書き込みを許可する、
ことを特徴とする請求項１に記載の状態収集システム。
【請求項７】
前記データ記憶カードとして、複数種類のデータ記憶カードを含み、前記複数種類のデータ記憶カードは、各々がその外装部に各々の種類に対応する複数種類の対応色を有し、
前記携帯端末は、前記複数種類の対応色の少なくともいずれかで発光可能な第１の発光部と、前記タグ制御部が前記複数種類のデータ記憶カードのいずれかの読み込み待ち及び読み込み完了の少なくともいずれかである場合に、前記第１の発光部を読み込み待ち及び読み込み完了の少なくともいずれかであるデータ記憶カードの種類に対応する対応色で発光させる発光制御部と、を備えてなる、
ことを特徴とする請求項１に記載の状態収集システム。
【請求項８】
前記携帯端末の前記発光制御部は、前記複数種類のデータ記憶カードのいずれかの読み込み待ちである場合に、前記第１の発光部を読み込み待ちであるデータ記憶カードの種類に対応する対応色で第１の状態にて発光させ、前記複数種類のデータ記憶カードのいずれかの読み込み完了である場合に、前記第１の発光部を読み込み完了のデータ記憶カードの種類に対応する対応色で前記第１の状態とは異なる第２の状態にて発光させる、
ことを特徴とする請求項７に記載の状態収集システム。
【請求項９】
前記第１の発光部は、列状に配置された複数の発光部からなる、
ことを特徴とする請求項８に記載の状態収集システム。
【請求項１０】
前記携帯端末は、前記複数種類の対応色と異なる第１の報知色及び第２の報知色で発光可能な第２の発光部を備え、
前記発光制御部は、前記タグ制御部が前記検出装置の前記タグ部への書き込み待ち及び書き込み完了の少なくともいずれかである場合に、前記第２の発光部を前記第１の報知色で発光させ、前記タグ制御部が前記タグ部への書き込み失敗、前記複数種類のデータ記憶カードのいずれかの読み込み失敗及び初期化に伴う自己診断機能におけるエラーの少なくともいずれかである場合に、前記第２の発光部を前記第２の報知色で発光させる、
ことを特徴とする請求項７に記載の状態収集システム。
【請求項１１】
前記携帯端末は、音声を出力可能な音声出力部と、前記タグ制御部が前記複数種類のデータ記憶カードのいずれかの読み込み完了及び読み込み失敗、前記検出装置の前記タグ部への書き込み待ち及び書き込み失敗並びに初期化に伴う自己診断機能におけるエラーの少なくともいずれかである場合に、前記音声出力部に所定の音声を出力させる音声制御部と、を備えてなる、
ことを特徴とする請求項７に記載の状態収集システム。
【発明の詳細な説明】
【技術分野】
【０００１】
本発明は、状態収集システムに関する。本発明は、特に、所定の測定対象の状態を検出する検出装置の設置に係る作業及び／または作業者の作業内容の連絡に係る作業を簡素化する状態収集システムに関する。
【背景技術】
【０００２】
例えば特許文献１には、検出装置と、携帯端末と、ネットワーク構築装置と、データ記憶装置と、を備えるプラント機器状態収集システムが開示されている。特許文献１に記載されているプラント機器状態収集システムにおいては、検出装置は、プラント内に配置されたプラント機器の状態を検出する検出部と、ネットワーク構築装置によって構築されるネットワークに接続可能なネットワーク接続部と、携帯端末から少なくともネットワークに接続するためのネットワーク情報を含む設定情報の少なくとも一部を非接触で記憶可能なタグ部とを有し、少なくとも検出部が検出したプラント機器の状態及び検出装置を特定する特定情報を、ネットワークを介してネットワーク構築装置に送信し、携帯端末は、検出装置のタグ部に設定情報の少なくとも一部を非接触で自動的に記憶させることが可能なタグ制御部を有し、且つデータ記憶装置と通信可能に構成されており、データ記憶装置は、少なくともネットワーク構築装置から受信するプラント機器の状態及び検出装置の特定情報を記憶する記憶部を有し、ネットワーク構築装置は、携帯端末によって検出装置のタグ部にネットワーク情報が記憶されたときに、このネットワーク情報を用いて検出装置のネットワークへの接続を許可するか否かを判定する。【０００３】
特許文献１に記載されているプラント機器状態収集システムにおいて、作業者は、携帯端末に入力されたネットワーク情報を、非接触で自動的に検出装置に記憶させることができる。すなわち、例えば、作業者は、検出装置に有線接続された携帯端末に対して検出装置にネットワーク情報を記憶させるための操作をする必要がない。したがって、携帯端末と検出装置を接続するケーブル等を接続する作業及び取り外しをする作業が作業者に発生しないことによって、検出装置をプラント機器に取り付ける作業を簡素化することができる。
【先行技術文献】
【特許文献】
【０００４】
【特許文献１】特開２０１６−１３９２２７号公報
【発明の概要】
【発明が解決しようとする課題】
【０００５】
ところで、特許文献１に記載されているプラント機器状態収集システムでは、携帯端末として、検出装置のタグ部に非接触で記憶させる情報を作業者が手動入力するためにタッチパネル式のディスプレイモジュールなどの入力部及び表示部を有するタブレット端末が用いられている。また、作業者がこのタブレット端末にタッチパネル式のディスプレイモジュールを用いてプラント機器の点検や修繕等の作業内容をタッチ操作等で入力し、無線通信を介してデータ記憶装置（クラウドサーバ）に送信可能である。【０００６】
しかしながら、検出装置をプラントに設置する場合（新規に設置する場合及び交換する場合）に、作業者がタブレット端末のタッチパネル式のディスプレイモジュールを用いて設定情報を手動入力すると、入力ミスや入力確認の時間を要するなど、設置作業が煩雑になり、検出装置をプラント機器に取り付ける作業全体として煩雑になる。作業内容の連絡に際しても、同様に入力ミスや入力確認の時間を要するなど、連絡作業が煩雑となり、プラント機器状態収集システムを運用する作業全体として煩雑になる。このように、プラント機器状態収集システムにおいて検出装置を設置する作業及び作業者の作業内容を連絡する作業には改善の余地がある。【０００７】
本発明は、所定の測定対象の状態を検出する検出装置の設置に係る作業及び／または作業者の作業内容の連絡に係る作業を簡素化する状態収集システムを提供することを１つの目的とする。
【課題を解決するための手段】
【０００８】
本発明の状態収集システムは、検出装置と、ネットワーク構築装置と、データ記憶装置と、データ記憶カードと、携帯端末と、を備え、
前記検出装置は、所定の測定対象の状態を検出する検出部と、所定の情報を非接触で記憶可能なタグ部とを有し、少なくとも前記検出部が検出した前記状態及び前記検出装置を特定する検出装置特定情報を、前記ネットワーク構築装置によって構築されるネットワークを介して前記ネットワーク構築装置に送信し、
前記データ記憶装置は、少なくとも前記ネットワーク構築装置から受信する前記状態及び前記検出装置特定情報を格納する記憶部を有し、
前記データ記憶カードは、前記情報を格納し、かつ、前記携帯端末と非接触で通信可能であり、
前記携帯端末は、前記データ記憶カードから前記情報を非接触で自動的に読み取り可能であり、かつ、前記検出装置の前記タグ部に読み取った前記情報を非接触で自動的に格納させることが可能なタグ制御部を有し、
前記検出装置は、前記タグ部に前記情報が格納された場合に、所定の動作を行う、
ことを特徴とする。
【発明の効果】
【０００９】
本発明によれば、所定の測定対象の状態を検出する検出装置の設置に係る作業及び／または作業者の作業内容の連絡に係る作業を簡素化することができる。
【図面の簡単な説明】
【００１０】
【図１】本発明のプラント機器状態収集システムの全体構成の例を示す図である。
【図２Ａ】図１に示されるプラント機器状態収集システムの各構成要素の内部構造の例を示す図である。
【図２Ｂ】図１に示されるネットワーク構築装置が記憶するネットワーク構築情報及び図１に示されるデータ記憶装置が記憶するプラント情報のデータ構造の例を示す図である。
【図２Ｃ】図１に示される携帯端末の外観を示す図である。
【図２Ｄ】図１に示されるデータ記憶カードの例を示す図である。
【図２Ｅ】図２Ａに示される携帯端末のタグ制御部による、検出装置のタグ部への情報の記憶及びタグ部からの情報の取得の動作の一例を示す図である。
【図２Ｆ】図１に示される携帯端末の状態遷移を示す図である。
【図２Ｇ】図２Ａに示される携帯端末のタグ制御部の状態遷移を示す図である。
【図２Ｈ】図２Ａに示される携帯端末の発光部及びブザーの動作の例を示す図である。
【図３Ａ】図１に示されるプラント機器状態収集システムがプラント機器の状態を収集する動作の例を示すフローチャートである。
【図３Ｂ】図３Ａに示される動作で使用されるデータ構造の例を示す図である。
【図４Ａ】図１に示される検出装置を取り付ける作業の例を示すフローチャートである。
【図４Ｂ】図４Ａに示される作業で使用されるデータ構造の例を示す図である。
【図４Ｃ】図４Ａに示される作業において図１に示される携帯端末を用いた作業を示す図である。
【図５Ａ】図１に示される携帯端末を用いて作業内容を送信する作業の例を示すフローチャートである。
【図５Ｂ】図５Ａに示される作業で使用されるデータ構造の例を示す図である。
【図５Ｃ】図５Ａに示される作業において図１に示される携帯端末を用いた作業を示す図である。
【発明を実施するための形態】
【００１１】
以下に説明する好ましい実施形態は、本発明を容易に理解するために用いられている。従って、当業者は、本発明が、以下に説明される実施形態によって不当に限定されないことを留意すべきである。
【００１２】
《１．全体の構成》
図１に示されるように、状態収集システム１は、検出装置１０とネットワーク構築装置２０とデータ記憶装置３０と携帯端末４０とデータ記憶カード５０とを備える。検出装置１０は、複数個備えられ、各検出装置１０は、図示されていないプラント内に配置される複数のプラント機器のうち対応するプラント機器に取り付けられる。複数の検出装置１０は、ネットワーク構築装置２０が構築する例えば無線ＬＡＮ（Local  Area  Network）及びＺｉｇＢｅｅ（登録商標）等の規格を用いた無線センサネットワーク（Wireless  Sensor  Network；ＷＳＮ）に接続することができる。ＷＳＮは、いわゆるメッシュ型ネットワークであることが好ましい。すなわち、複数の検出装置１０がネットワーク構築装置２０と接続し、各検出装置１０（例えば、検出装置１０−ｂ）は、それ自身が隣接する他の１又は複数の検出装置１０（例えば、検出装置１０−ａ及び検出装置１０−ｃ）とも接続することが好ましい。また、ネットワーク構築装置２０から距離が離れていること等によってＷＳＮと直接接続できない検出装置１０（例えば、検出装置１０−ａ）が存在するときは、プラント機器状態収集システム１は中継器６０を更に備えて、ＷＳＮの接続可能範囲を補間してもよい。
【００１３】
ネットワーク構築装置２０は、３Ｇ回線又はＬＴＥ（Long  Term  Evolution）回線等のモバイル通信を利用可能に構成されている。以下、「３Ｇ回線又はＬＴＥ回線等のモバイル通信」を「３Ｇ／ＬＴＥ」とも呼ぶ。ネットワーク構築装置２０は、３Ｇ／ＬＴＥを介してデータ記憶装置３０と通信可能に構成されている。
【００１４】
図１に示される例では、３個の検出装置１０−ａ，１０−ｂ，１０−ｃがネットワーク構築装置２０によって構築されるＷＳＮに接続されるように示されているが、ＷＳＮに接続される検出装置１０は、４個以上であってもよく、１又は２個であってもよい。また、実際のプラント機器状態収集システム１では、複数のネットワーク構築装置（図１のネットワーク構築装置２０及び図示されていない他の１又は複数のネットワーク構築装置）が備えられている。図示されていない他の１又は複数のネットワーク構築装置には、図１と同様に、図示されていない複数の検出装置が接続されている。
【００１５】
図２Ａには、図１に示されるプラント機器状態収集システム１の各構成要素の内部構成の例が示される。図２Ａに示される検出装置１０は、制御部１１、検出部１２、ネットワーク接続部１３、タグ部１４及び報知部１５を有する。検出装置１０は、図示されていない電源ケーブル等で電力を供給することが困難な場所に取り付けられることが想定されるため、更にバッテリ１６を有していることが好ましい。また、検出装置１０は、例えば制御部１１、検出部１２、ネットワーク接続部１３、タグ部１４及び報知部１５の少なくとも１つに対して、電源ケーブル又はバッテリ１６からの電力の供給を制御する電源制御部１７を更に有してもよい。電源制御部１７は、例えば、リレーシーケンス又はトランジスタ等のスイッチング素子等を有する、自己保持回路を備える。以下、「検出装置１０」を「センサモジュール１０」とも呼ぶ。
【００１６】
検出装置１０の制御部１１は、例えばマイクロコンピュータ等からなり、検出部１２、ネットワーク接続部１３、タグ部１４及び報知部１５の動作を制御する。また、制御部１１は、例えば、さらにバッテリ１６の残量を取得可能に構成されていてもよい。検出装置１０の検出部１２は、検出装置１０が取り付けられたプラント機器の状態を検出する。ここで、プラント機器とは、例えばスチームトラップ、回転機等であり、プラント機器の状態とは、例えばプラント機器の温度、振動、湿度、圧力、ｐｈ（ペーハー）等である。
【００１７】
検出装置１０のネットワーク接続部１３は、ネットワーク構築装置２０によって構築されるＷＳＮに接続可能に構成されている。検出装置１０のタグ部１４は、タグＩＣ（integrated  circuit）１４−１及びタグアンテナ１４−２を有する、例えば、ＮＦＣ（Near  Field  Communication）に用いられるＲＦ（Radio  Frequency）タグである。タグ部１４は、後述する携帯端末４０のタグ制御部４２が、非接触で情報をタグＩＣ１４−１に例えば書き込むことによって格納させることができるように構成されている。ここで、非接触とは、検出装置１０のタグ部１４と携帯端末４０のタグ制御部４２とを例えばケーブル等で有線接続されること等によって、検出装置１０のタグ部１４と携帯端末４０のタグ制御部４２とが直接的な状態又は間接的な状態で機械的に接触しないことをいう。また、タグ部１４、具体的にはタグＩＣ１４−１に、検出装置１０を特定する検出装置特定情報である、例えばセンサＩＤが予め格納されている。
【００１８】
検出装置１０の報知部１５は、例えばＬＥＤ、ブザー等であって、制御部１１の制御によって起動又は停止する。検出装置１０のバッテリ１６は、検出装置１０が電源ＯＮ状態であるときに、少なくとも制御部１１に対して電力を供給する。検出部１２、ネットワーク接続部１３、タグ部１４及び報知部１５に対する電力の供給は、例えば、制御部１１を介して電力が供給されてもよく、制御部１１を介さずに電力が供給されてもよい。
【００１９】
図２Ａに示されるネットワーク構築装置２０は、制御部２１、３Ｇ／ＬＴＥ通信部２２、ネットワーク構築部２３及び記憶部２４を有する。以下、「ネットワーク構築装置２０」を「センサゲートモジュール２０」とも呼ぶ。
【００２０】
ネットワーク構築装置２０の制御部２１は、例えばマイクロコンピュータ等からなり、３Ｇ／ＬＴＥ通信部２２、ネットワーク構築部２３及び記憶部２４の動作を制御する。ネットワーク構築装置２０が３Ｇ／ＬＴＥ通信部２２を有することによって、ネットワーク構築装置２０は３Ｇ／ＬＴＥに接続可能である。また、ネットワーク構築装置２０は、ネットワーク構築部２３を有することによって、ＷＳＮを構築可能である。ネットワーク構築装置２０が構築するＷＳＮは、特定のネットワーク構築装置２０によって構築されたＷＳＮであることを特定するネットワーク特定情報である、例えばネットワークＩＤが与えられている。
【００２１】
ネットワーク構築装置２０の記憶部２４は、例えば、図２Ｂに示されているネットワーク構築装置２０が構築するＷＳＮのネットワーク構築情報（データ００１）を記憶する。ネットワーク構築情報（データ００１）は、例えば、ネットワークＩＤ、このネットワークＩＤで特定されるＷＳＮに接続されている検出装置１０のセンサＩＤ及びこれらの検出装置１０のＷＳＮへの接続状態のリストを含む。ネットワークＩＤで特定されるＷＳＮに中継器６０が接続されているときは、ネットワーク構築情報（データ００１）は、中継器ＩＤ及び中継器のＷＳＮへの接続状態を更に含んでもよい。
【００２２】
図２Ａに示されるデータ記憶装置３０は、制御部３１、３Ｇ／ＬＴＥ通信部３２及び記憶部３３を有する。以下、「データ記憶装置３０」を「クラウドサーバ３０」とも呼ぶ。
【００２３】
データ記憶装置３０の記憶部３３は、例えば、図２Ｂに示されているプラント情報（データ００２）を記憶する。プラント情報（データ００２）は、例えば、複数のネットワークＩＤ、各ネットワークＩＤで特定されるＷＳＮに接続されている検出装置１０のセンサＩＤ、検出装置１０の接続状態、検出装置１０の取付情報（ＳＭ（センサモジュール）取付情報）、検出装置１０の動作条件（ＳＭ動作条件）、プラント機器の状態及び検出装置１０が検出する検出値、作業者ＩＤ及び作業内容を含む。検出装置１０の取付情報は、例えば、プラント内の番地等の取付エリアを含む。検出装置１０の動作条件は、例えば、検出装置１０の検出部１２が検出する検出項目を含む。また、中継器６０が接続されているＷＳＮが存在するときは、中継器ＩＤ、これらのＷＳＮへの接続状態及び中継器の取付情報を更に含んでもよい。なお、プラント情報（データ００２）には、ネットワーク構築情報（データ００１）の全ての項目が含まれている。
【００２４】
図２Ａに示される携帯端末４０は、制御部４１、タグ制御部４２、記憶部４３、発光部４４及びブザー４５（音声出力部の一例）を有する。携帯端末４０は、プラント内で働く作業者がプラント内で携帯することが想定されるため、更にバッテリ４６を有していることが好ましい。また、携帯端末４０は、例えば制御部４１、タグ制御部４２、記憶部４３、発光部４４及びブザー４５の少なくとも１つに対して、バッテリ４６からの電力の供給を制御する電源制御部４７を更に有してもよい。電源制御部４７は、例えば、リレーシーケンス又はトランジスタ等のスイッチング素子等を有する、自己保持回路を備える。携帯端末４０は、情報の取得をタグ制御部４２のみで行い、作業者が入力操作を行うためのタッチパネル式のディスプレイのような表示部及び入力部を備えない。以下、「携帯端末４０」を「ノッカー４０」とも呼ぶ。
【００２５】
携帯端末４０の制御部４１は、例えばマイクロコンピュータ等からなり、タグ制御部４２、記憶部４３、発光部４４、ブザー４５の動作を制御する。すなわち、制御部４１は発光制御部及び音声制御部として機能する。また、制御部４１は、例えば、さらにバッテリ４６の残量を取得可能に構成されていてもよい。携帯端末４０のタグ制御部４２は、タグリーダ／ライタ４２−１及びタグ制御アンテナ４２−２を有する。タグ制御部４２は、検出装置１０のタグ部１４へ非接触で情報を書き込むことによって格納させることができる。検出装置１０は、タグ部１４へ情報が格納された場合に、ネットワークへの参加や自身の制御、情報のネットワーク構築装置２０への送信などの所定の動作を行う。また、タグ制御部４２は、データ記憶カード５０から非接触で情報を読み込むことによって取得することができる。タグ制御部４２による、検出装置１０のタグ部１４への情報の格納及びデータ記憶カード５０からの情報の取得は、携帯端末４０を検出装置１０あるいはデータ記憶カード５０にかざすこと、すなわち、例えば携帯端末４０を検出装置１０あるいはデータ記憶カード５０から所定の距離（例えば１０ｃｍ）まで近づけることによって自動的に実行される。タグ制御部４２による、検出装置１０のタグ部１４への情報の格納及びデータ記憶カード５０からの情報の取得の具体的な動作は、図２Ｅを参照して後述する。記憶部４３は、タグ制御部４２が読み込んだ情報を格納することができる。携帯端末４０の発光部４４は、例えば複数のＬＥＤからなり、制御部４１の制御によってタグ制御部４２の状態やイベントに応じて所定の色で発光可能である。携帯端末４０のブザー４５は、制御部４１の制御によってタグ制御部４２の状態やイベントに応じて所定の音声を出力可能である。発光部４４及びブザー４５の具体的な動作は、図２Ｆ〜図２Ｈを参照して後述する。携帯端末４０のバッテリ４６は、携帯端末４０が電源ＯＮ状態であるときに、少なくとも制御部４１に対して電力を供給する。タグ制御部４２、記憶部４３、発光部４４及びブザー４５に対する電力の供給は、例えば制御部４１を介して電力が供給されてもよく、制御部４１を介さずに電力が供給されてもよい。
【００２６】
図２Ｃは、携帯端末４０の外観を示す図である。携帯端末４０は、筐体４０−１と、スライドスイッチ４０−２と、プッシュスイッチ４０−３と、発光部４４を構成するＩＤ用発光部４４−１（第１の発光部の一例）、作業内容用発光部４４−２（第１の発光部の一例）及び書込状態用発光部４４−３（第２の発光部の一例）と、を有する。筐体４０−１は、例えば導電性樹脂と非導電性樹脂とを適宜組み合わせてなり、上述した各部を収容する。スライドスイッチ４０−２は、作業者のスライド操作に応じて携帯端末４０の電源のオン・オフを切り替える電源スイッチである。プッシュスイッチ４０−３は、作業者のプッシュ操作に応じて携帯端末４０のアクティブ状態・非アクティブ状態を切り替え可能なアクティブスイッチである。ＩＤ用発光部４４−１、作業内容用発光部４４−２及び書込状態用発光部４４−３は、携帯端末４０の表面側から見て横方向に列状に配置されたＬＥＤからなる。ＩＤ用発光部４４−１は、青色に発光可能である。作業内容用発光部４４−２は黄色及びシアン（青緑色）で切り替えて発光可能である。書込状態用発光部４４−３は緑色及び赤色で切り替えて発光可能である。各発光部４４−１〜４４−３の各発光色の機能については後で述べる。
【００２７】
データ記憶カード５０は、いわゆる非接触式のＩＣカードであり、ＩＣ５１と、アンテナ５２とを有し、所定の情報をＩＣ５１に予め格納可能であり、かつ、携帯端末４０と非接触で通信が可能である。データ記憶カード５０は、ＩＣ５１に予め格納される情報の種類に応じて複数種類が用いられる。以下、「データ記憶カード５０」を「作業カード５０」とも呼ぶ。
【００２８】
図２Ｄはデータ記憶カード５０の例を示すものである。本実施形態においては、複数種類のデータ記憶カード５０として、ネットワークＩＤカード５０−１（第１のデータ記憶カードの一例）、作業者ＩＤカード５０−２（第３のデータ記憶カードの一例）、作業内容（設置時用）カード５０−３（第２のデータ記憶カードの一例）及び作業内容（運用時用）カード５０−４（第４のデータ記憶カードの一例）を有する。ネットワークＩＤカード５０−１は、情報としてネットワーク構築装置２０が構築するＷＳＮに接続するためのネットワーク情報が格納されている。このネットワーク情報には、ＷＳＮを特定するネットワーク特定情報であるネットワークＩＤ及びこのネットワークＩＤで特定されるＷＳＮに接続するためのネットワークパスワードが含まれる。ネットワークＩＤカード５０−１は、ＷＳＮの数だけ、すなわち、ネットワーク構築装置２０の数だけ複数用意される。作業者ＩＤカード５０−２は、情報として作業者を特定する作業者特定情報である、作業者ＩＤが格納されている。作業者ＩＤカード５０−２は、作業者の数だけ複数用意される。作業内容（設置時用）カード５０−３は、情報として検出装置１０に接続される検出部１２の種類を示す種類情報（以下、単に「検出部１２の種類」とも呼ぶ）を格納する。作業内容（設置時用）カード５０−３は、プラント機器状態収集システム１で準備された検出部１２の種類の数だけ複数用意され、例えば「温度センサ」、「振動センサ」、「センサなし（中継器）」、「汎用センサ」などがある。作業内容（運用時用）カード５０−４は、情報として設備点検などにおける作業者の作業内容を示す作業内容情報（以下、単に「作業内容」とも呼ぶ）を格納するものである。作業内容（運用時用）カード５０−４は、作業内容等の種類の数だけ複数用意され、例えば設備点検等の作業内容として「異常なし」、「異常あり（注意）」、「異常あり（警告）」、「修理完了」などがある。また、作業内容として設置後の検出装置１０に対して動作を変更させる動作内容を含んでもよく、動作内容としては「停止（自動復旧不可）」、「再接続」、「初期化」などがある。作業内容は、例えば英数字と記号の組み合わせからなるＩＤとして格納される。データ記憶装置３０には、このＩＤに関連付けられて例えば作業内容を示す紐付けデータ（例えばテキストデータ）が格納される。これにより、送信データの負荷を軽減することができ、また、データ記憶装置３０側でのデータ管理の自由度が増す。前述の作業者ＩＤについても同様に英数字と記号の組み合わせからなり、データ記憶装置３０に作業者ＩＤに関連付けられて作業者を示す紐付けデータ（例えばテキストデータ）が格納される。ネットワークＩＤカード５０−１、作業者ＩＤカード５０−２、作業内容（設置時用）カード５０−３、作業内容（運用時用）カード５０−４は、樹脂や紙等からなるその外装部にそれぞれの種類に応じた対応色を有する。対応色は例えば印刷等で設けられる。具体的に、ネットワークＩＤカード５０−１及び作業者ＩＤカード５０−２は、その対応色として青色を有する。以下、ネットワークＩＤカード５０−１及び作業者ＩＤカード５０−２をまとめて「ＩＤカード５０−１，５０−２」とも呼ぶ。作業内容（設置時用）カード５０−３は、その対応色として黄色を有する。作業内容（運用時用）カード５０−４は、その対応色としてシアン（青緑色）を有する。このほか、データ記憶カード５０として、例えば携帯端末４０に所定の動作をさせるカードを更に用意してもよい。
【００２９】
プラントの管理者は、３Ｇ／ＬＴＥに接続可能なノートパソコン等の管理端末７０を用いることで、３Ｇ／ＬＴＥを介してプラント情報（データ００２）を閲覧及び編集することができる。その結果、管理者はプラント機器を直接監視しにいくことなく、プラント機器の状態を遠隔で監視することが可能になり、異常状態を発見したときに、携帯端末４０を携帯する作業者に修繕作業の指示等をすることが可能になる。
【００３０】
図２Ａに示される中継器６０は、制御部６１、ネットワーク接続部６２、タグ部６３、報知部６４及びバッテリ６５を有する。また、電源制御部６６を更に有してもよい。中継器６０は、検出装置１０と概ね同様の内部構造であるが、検出部を有さない点で検出装置１０と異なる。
【００３１】
図２Ｅを参照して、携帯端末４０のタグ制御部４２による、検出装置１０のタグ部１４への情報の格納及びデータ記憶カード５０からの情報の取得の動作の一例を説明する。図２Ｅにおいて、図中の細い矢印は命令等の信号を表し、図中の太い矢印は電力の供給を表す。また、携帯端末４０のタグ制御部４２による、中継器６０のタグ部６３への情報の格納の動作も同様であるので説明を省略する。
【００３２】
携帯端末４０が検出装置１０にかざされたとき、携帯端末４０のタグ制御部４２は、タグリーダ／ライタ４２−１が生成する例えば書き込み信号を、タグ制御アンテナ４２−２が生成する例えば電波又は磁界に含んで、検出装置１０に送信する。検出装置１０のタグ部１４は、タグアンテナ１４−２で受信する電波を整流することによって又は受信する磁界による電磁誘導によって、タグアンテナ１４−２に電力が発生する。タグアンテナ１４−２は、発生した電力をタグＩＣ１４−１に供給し、タグＩＣ１４−１が起動する。タグアンテナ１４−２が受信する電波又は磁界に含まれる信号が書き込み信号であったとき、起動したタグＩＣ１４−１は、書き込み信号に含まれる情報を格納する。
【００３３】
このように、携帯端末４０のタグ制御部４２が、タグ部１４へ情報を格納するときは、検出装置１０の内部からタグ部１４に電力が供給される必要がない。すなわち、検出装置１０が電源ＯＦＦ状態又はスリープ状態であるときも、携帯端末４０のタグ制御部４２は、検出装置１０のタグ部１４への情報の格納をすることができる。
【００３４】
また、タグアンテナ１４−２が受信した電波又は磁界によって起動したタグＩＣ１４−１は、例えば、電源制御部１７に対して起動信号を出力する。起動信号を入力した電源制御部１７は、電源制御部１７がバッテリ１６から供給される電力を、例えば少なくとも制御部１１に対して供給する。例えば、電力が供給された制御部１１が起動することによって、検出装置１０が電源ＯＮ状態となる。すなわち、検出装置１０は、携帯端末４０のタグ制御部４２によってタグ部１４に情報が記憶されたときに、電源ＯＮ状態となるように構成されている。検出装置１０の電源がＯＮ状態であるときは、制御部１１がタグ部１４のタグＩＣ１４−１に対して電力を供給することによって、制御部１１によるタグＩＣ１４−１への情報の格納やタグＩＣ１４−１からの情報の取得をすることができる。
【００３５】
さらに、電源ＯＮ状態である検出装置１０が電源ＯＦＦ状態又はスリープ状態となるときは、制御部１１は、電源制御部１７に対して停止信号又はスリープ信号を出力する。停止信号又はスリープ信号を入力した電源制御部１７は、例えば、少なくとも制御部１１に対して電力の供給を停止又は電力供給の量を低下させる。例えば、制御部１１への電力の供給が停止されたときに検出装置１０は電源ＯＦＦ状態となり、制御部１１への電力供給の量が低下されたときに検出装置はスリープ状態となる。
【００３６】
一方、携帯端末４０がデータ記憶カード５０にかざされたとき、携帯端末４０のタグ制御部４２は、タグリーダ／ライタ４２−１が生成する例えば読み込み信号を、タグ制御アンテナ４２−２が生成する例えば電波又は磁界に含んで、データ記憶カード５０に送信する。データ記憶カード５０は、アンテナ５２で受信する電波を整流することによって又は受信する磁界による電磁誘導によって、アンテナ５２に電力が発生する。アンテナ５２は、発生した電力をＩＣ５１に供給し、ＩＣ５１が起動する。アンテナ５２が受信する電波又は磁界に含まれる信号が読み込み信号であったとき、起動したＩＣ５１は、読み取り信号に応じてＩＣ５１に記憶されている情報を、アンテナ５２が生成する電波又は磁界に含んで返信する。携帯端末４０のタグ制御部４２は、返信された電波又は磁界をタグ制御アンテナ４−２で受信し、電波又は磁界に含まれる情報をタグリーダ／ライタ４２−１に送信する。これにより、タグリーダ／ライタ４２−１にデータ記憶カード５０の情報が格納される。
【００３７】
このように、携帯端末４０のタグ制御部４２が、データ記憶カード５０から情報を取得するときは、作業者はタッチパネル式のディスプレイモジュールを用いるような手動操作による煩雑な入力操作を行う必要がない。すなわち、携帯端末４０のタグ制御部４２は、入力ミスや入力内容の確認時間を生じることなく、作業に必要な情報を格納することができる。
【００３８】
図２Ｆ、図２Ｇ及び図２Ｈを参照して、携帯端末４０の状態遷移と発光部４４及びブザー４５の動作の例について説明する。図２Ｆは携帯端末４０の状態遷移を示している。携帯端末４０は、電源オフの状態ＳＴ１０のときスライドスイッチ４０−２オンのイベントＥＶ１０が発生すると電源をオンにして非アクティブの状態ＳＴ２０に遷移する。このとき、携帯端末４０は、初期化の処理ＰＣ１０を行う。初期化の処理ＰＣ１０において、発光部４４は停止し、タグ制御部４２は初期化及び自身が正常に機能するか否かを判定する自己診断処理後に停止し、記憶部４３に格納されているタグ制御部４２が取得した読込情報は消去される。非アクティブの状態ＳＴ２０は、省電力モードであり、少なくともタグ制御部４２及び発光部４４を停止する。携帯端末４０は非アクティブの状態ＳＴ２０のときプッシュスイッチ４０−３オンのイベントＥＶ２０が発生するとアクティブの状態ＳＴ３０に遷移する。このとき、携帯端末４０のタグ制御部４２が起動し、記憶部４３に記憶される読込情報を読み出す読込情報ロードの処理ＰＣ２０を行う。記憶部４３に記憶される読込情報がない場合は、読み出しは行わない。また、携帯端末４０は非アクティブの状態ＳＴ２０のときスライドスイッチ４０−２オフのイベントＥＶ３０が発生すると電源オフの状態ＳＴ１０に遷移する。アクティブの状態ＳＴ３０は、携帯端末４０の全ての機能が実行可能なモードであり、タグ制御部４２と発光部４４が起動する。アクティブの状態ＳＴ３０における状態遷移については図２Ｇを参照して後で述べる。携帯端末４０はアクティブの状態ＳＴ３０のときプッシュスイッチ４０−３オフのイベントＥＶ４０が発生すると非アクティブの状態ＳＴ２０に遷移する。このとき、制御部４１は、タグ制御部４２が取得した読込情報を記憶部３３に格納する読込情報セーブの処理ＰＣ３０を行う。また、携帯端末４０はアクティブの状態ＳＴ３０のときスライドスイッチ４０−２オフのイベントＥＶ５０が発生すると電源オフの状態ＳＴ１０に遷移する。
【００３９】
図２Ｇは携帯端末４０のアクティブの状態ＳＴ３０におけるタグ制御部４２の状態遷移を示している。図２Ｈは、タグ制御部４２の状態やイベント後処理に応じた発光部４４及びブザー４５の動作の例を示している。携帯端末４０のタグ制御部４２は、記憶部３３から読み出した読込情報の有無及びその内容によって、後述する状態ＳＴ３１〜３５に遷移する。まず、携帯端末４０が初期化の処理ＰＣ１０を経て、すなわち記憶部３３に読込情報がない状態でアクティブの状態ＳＴ３０に遷移すると、タグ制御部４２はＩＤカード５０−１，５０−２の読込待機の状態（以下、ＩＤ読込待機の状態とも呼ぶ）ＳＴ３１に遷移する。
ＩＤ読込待機の状態ＳＴ３１は、格納している情報がなく、かつＩＤカード５０−１，５０−２のみが読み込み可能な状態である。ＩＤ読込待機の状態ＳＴ３１において制御部４１は発光部４４のうちＩＤ用発光部４４−１を青色で点滅発光（第１の状態）させる。他の作業内容用発光部４４−２，書込状態用発光部４４−３は消灯する。作業者は、ＩＤ用発光部４４−１による対応色（青色）の点滅によって、ＩＤカード５０−１，５０−２が読み込み可能であることが瞬時に理解できる。ＩＤ読込待機の状態ＳＴ３１のときネットワークＩＤカード５０−１を読み込むイベント（以下、ネットワークＩＤ読込イベントとも呼ぶ）ＥＶ３１−１が発生すると、タグ制御部４２はネットワーク情報を取得して作業内容（設置時）カード５０−３の読み込み待機の状態（以下、作業内容（設置時）読込待機の状態とも呼ぶ）ＳＴ３２に遷移する。このとき、制御部４１は、ネットワークＩＤ読込イベントＥＶ３１−１に応じて読込成功通知の処理ＰＣ３１−１を行う。読込成功通知の処理ＰＣ３１−１においては、制御部４１の制御のもとＩＤ用発光部４４−１及び作業内容用発光部４４−２が状態に依存した動作（この場合では、ＩＤ用発光部４４−１は青色点滅、作業内容用発光部４４−２は消灯）を行い、書込状態用発光部４４−３が一定時間緑色で点灯し、ブザー４５が「ピッ」の音声を出力する。作業者は、ブザー４５の音声と書込状態用発光部４４−３の点灯によりネットワークＩＤカード５０−１の読み込みが成功したことを瞬時に理解できる。また、ＩＤ読込待機の状態ＳＴ３１のとき作業者ＩＤカード５０−２を読み込むイベント（以下、作業者ＩＤ読込イベントとも呼ぶ）ＥＶ３１−２が発生すると、タグ制御部４２は作業者ＩＤを取得して作業内容（運用時）カード５０−４の読み込み待機の状態（以下、作業内容（運用時）読込待機の状態とも呼ぶ）ＳＴ３３に遷移する。このとき、制御部４１は、作業者ＩＤ読込イベントＥＶ３１−２に応じて読込成功通知の処理ＰＣ３１−２を行う。読込成功通知の処理ＰＣ３１−２は、前述の読込成功通知の処理ＰＣ３１−１と同じである。
作業内容（設置時）読込待機の状態ＳＴ３２は、ネットワークＩＤカード５０−１の読み込みが完了し、かつ、作業内容（設置時）カード５０−３のみが読み込み可能な状態である。作業内容（設置時）読込待機の状態ＳＴ３２において、制御部４１は発光部４４のうちＩＤ用発光部４４−１を青色で点灯（第２の状態）させ、作業内容用発光部４４−２を黄色で点滅させる。書込状態用発光部４４−３は消灯する。作業者は、ＩＤ用発光部４４−１による対応色（青色）の点灯及び作業内容用発光部４４−２の対応色（黄色）による点滅によって、ネットワークＩＤカード５０−１の読み込みが完了し、今度は作業内容（設置時）カード５０−３が読み込み待ちであることが瞬時に理解できる。作業内容（設置時）読込待機の状態ＳＴ３２のとき作業内容（設置時）カード５０−３を読み込むイベント（以下、作業内容（設置時）読込イベントとも呼ぶ）ＥＶ３２−１が発生すると、タグ制御部４２は検出部１２の種類を取得して検出装置１０へのネットワーク情報及び検出部１２の種類（以下、設置情報とも呼ぶ）の書き込み待機の状態（以下、設置情報書込待機の状態とも呼ぶ）ＳＴ３４に遷移する。このとき、制御部４１は、作業内容（設置時）読込イベントＥＶ３２−１に応じて読込成功通知の処理ＰＣ３２−１を行う。読込成功通知の処理ＰＣ３２−１においては、制御部４１の制御のもとＩＤ用発光部４４−１及び作業内容用発光部４４−２が状態に依存した動作（この場合では、ＩＤ用発光部４４−１は青色点灯、作業内容用発光部４４−２は黄色点滅）を行い、書込状態用発光部４４−３が一定時間緑色で点灯し、ブザー４５が「ピッ」の音声を出力する。また、作業内容（設置時）読込待機の状態ＳＴ３２のとき作業者ＩＤ読込イベントＥＶ３２−２が発生すると、タグ制御部４２は作業者ＩＤを取得して作業内容（運用時）読込待機の状態ＳＴ３３に遷移する。このとき、タグ制御部４２に格納されるネットワーク情報は消去される。すなわち、ネットワーク情報と作業者ＩＤとはいずれか一方のみがタグ制御部４２に格納できる。また、このとき、制御部４１は、作業者ＩＤ読込イベントＥＶ３２−２に応じて読込成功通知の処理ＰＣ３２−２を行う。読込成功通知の処理ＰＣ３２−２は、前述の読込成功通知の処理ＰＣ３２−１と同じである。また、作業内容（設置時）読込待機の状態ＳＴ３２のときネットワークＩＤ読込イベントＥＶ３２−３が発生すると、タグ制御部４２はネットワーク情報を取得、更新して再び作業内容（設置時）読込待機の状態ＳＴ３２に遷移する。このとき、制御部４１は、ネットワークＩＤ読込イベントＥＶ３２−３に応じて、読込成功通知の処理ＰＣ３２−３を行う。読込成功通知の処理ＰＣ３２−３は、前述の読込成功通知の処理ＰＣ３２−１と同じである。
作業内容（運用時）読込待機の状態ＳＴ３３は、作業者ＩＤカード５０−２の読み込みが完了し、かつ作業内容（運用時）カード５０−４のみが読み込み可能な状態である。作業内容（運用時）読込待機の状態ＳＴ３３において、制御部４１は発光部４４のうちＩＤ用発光部４４−１を青色で点灯させ、作業内容用発光部４４−２をシアンで点滅させる。書込状態用発光部４４−３は消灯する。作業者は、ＩＤ用発光部４４−１による対応色（青色）の点灯及び作業内容用発光部４４−２の対応色（シアン）による点滅によって、作業者ＩＤカード５０−２の読み込みが完了し、今度は作業内容（運用時）カード５０−４の読み込み待ちであることが瞬時に理解できる。作業内容（運用時）読込待機の状態ＳＴ３３のとき作業内容（運用時）カード５０−４を読み込むイベント（以下、作業内容（運用時）読込イベントとも呼ぶ）ＥＶ３３−１が発生すると、タグ制御部４２は作業内容あるいは動作内容を取得して検出装置１０への作業者ＩＤ及び作業内容等（以下、運用情報とも呼ぶ）の書き込み待機の状態（以下、運用情報書込待機の状態とも呼ぶ）ＳＴ３５に遷移する。このとき、制御部４１は、作業内容（運用時）読込イベントＥＶ３３−１に応じて読込成功通知の処理ＰＣ３３−１を行う。読込成功通知の処理ＰＣ３３−１においては、制御部４１の制御のもとＩＤ用発光部４４−１及び作業内容用発光部４４−２がタグ制御部４２の状態に依存した動作（この場合では、ＩＤ用発光部４４−１は青色点灯、作業内容用発光部４４−２はシアン点滅）を行い、書込状態用発光部４４−３が一定時間緑色で点灯し、ブザー４５が「ピッ」の音声を出力する。また、作業内容（運用時）読込待機の状態ＳＴ３３のときネットワークＩＤ読込イベントＥＶ３３−２が発生すると、タグ制御部４２はネットワーク情報を取得して作業内容（設置時）読込待機の状態ＳＴ３２に遷移する。このとき、タグ制御部４２に格納される作業者ＩＤは消去される。また、このとき、制御部４１は、ネットワークＩＤ読込イベントＥＶ３３−２に応じて読込成功通知の処理ＰＣ３３−２を行う。読込成功通知の処理ＰＣ３３−２は、前述の読込成功通知の処理ＰＣ３３−１と同じである。また、作業内容（運用時）読込待機の状態ＳＴ３３のとき作業者ＩＤ読込イベントＥＶ３３−３が発生すると、タグ制御部４２は作業者ＩＤを取得、更新して再び作業内容（運用時）読込待機の状態ＳＴ３３に遷移する。このとき、制御部４１は、作業者ＩＤ読込イベントＥＶ３３−３に応じて、読込成功通知の処理ＰＣ３３−３を行う。読込成功通知の処理ＰＣ３３−３は、前述の読込成功通知の処理ＰＣ３３−１と同じである。
設置情報書込待機の状態ＳＴ３４は、ネットワークＩＤカード５０−１及び作業内容（設置時）カード５０−３の読み込みが完了し、検出装置１０に設置情報を書込み可能な状態である。設置情報書込待機の状態ＳＴ３４において、制御部４１は発光部４４のうちＩＤ用発光部４４−１を青色で点灯させ、作業内容用発光部４４−２を黄色で点灯させ、書込状態用発光部４４−３を緑色で点滅させる。作業者は、ＩＤ用発光部４４−１及び作業内容用発光部４４−２による対応色（青色及び黄色）の点灯及び書込状態用発光部４４−３の緑色による点滅によって、ネットワークＩＤカード５０−１及び作業内容（設置時）カード５０−３の読み込みが完了し、今度は検出装置１０に設置情報が書き込み待ちであることが瞬時に理解できる。設置情報書込待機の状態ＳＴ３４のとき検出装置１０へ設置情報を書き込むイベント（以下、設置情報書込イベントとも呼ぶ）ＥＶ３４−１が発生すると、タグ制御部４２は設置情報を保持しつつ再び設置情報書込待機の状態ＳＴ３４に遷移する。したがって、検出装置１０への設置情報の書込みは連続して行うことができる。このとき、制御部４１は設置情報書込イベントＥＶ３４−１に応じて、書込成功通知の処理ＰＣ３４−１を行う。書込成功通知の処理ＰＣ３４−１においては、制御部４１の制御のもとＩＤ用発光部４４−１及び作業内容用発光部４４−２がタグ制御部４２の状態に依存した動作（この場合では、ＩＤ用発光部４４−１は青色点灯、作業内容用発光部４４−２は黄色点灯）を行い、書込状態用発光部４４−３が一定時間緑色で点灯し、ブザー４５が「ピッピッ」の音声を出力する。また、設置情報書込待機の状態ＳＴ３４のとき作業内容（設置時）読込イベントＥＶ３４−２が発生すると、タグ制御部４２は検出部１２の種類を取得、更新し再び設置情報書込待機の状態ＳＴ３４に遷移する。したがって、同じネットワーク情報を保持したまま検出部１２の種類を変更して、検出装置１０への設置情報の書込みを行うことができる。このとき、制御部４１は、作業内容（設置時）読込イベントＥＶ３４−２に応じて、読込成功通知の処理ＰＣ３４−２を行う。読込成功通知の処理ＰＣ３４−２においては、制御部４１の制御のもとＩＤ用発光部４４−１及び作業内容用発光部４４−２が状態に依存した動作（この場合では、ＩＤ用発光部４４−１は青色点灯、作業内容用発光部４４−２は黄色点灯）を行い、書込状態用発光部４４−３が一定時間緑色で点灯し、ブザー４５が「ピッ」の音声を出力する。
運用情報書込待機の状態ＳＴ３５は、作業者ＩＤカード５０−２及び作業内容（運用時）カード５０−３の読み込みが完了し、検出装置１０に運用情報を書込み可能な状態である。運用情報書込待機の状態ＳＴ３５において、制御部４１は発光部４４のうちＩＤ用発光部４４−１を青色で点灯させ、作業内容用発光部４４−２をシアンで点灯させ、書込状態用発光部４４−３を緑色で点滅させる。作業者は、ＩＤ用発光部４４−１及び作業内容用発光部４４−２による対応色（青色及びシアン）の点灯及び書込状態用発光部４４−３の緑色による点滅によって、作業者ＩＤカード５０−２及び作業内容（運用時）カード５０−４の読み込みが完了し、今度は検出装置１０に運用情報が書き込み待ちであることが瞬時に理解できる。運用情報書込待機の状態ＳＴ３５のとき検出装置１０へ運用情報を書き込むイベント（以下、運用情報書込イベントとも呼ぶ）ＥＶ３５−１が発生すると、タグ制御部４２は運用情報を保持しつつ再び運用情報書込待機の状態ＳＴ３５に遷移する。したがって、検出装置１０への運用情報の書込みは連続して行うことができる。このとき、制御部４１は運用情報書込イベントＥＶ３５−１に応じて、書込成功通知の処理ＰＣ３５−１を行う。書込成功通知の処理ＰＣ３５−１においては、制御部４１の制御のもとＩＤ用発光部４４−１及び作業内容用発光部４４−２がタグ制御部４２の状態に依存した動作（この場合では、ＩＤ用発光部４４−１は青色点灯、作業内容用発光部４４−２はシアン点灯）を行い、書込状態用発光部４４−３が一定時間緑色で点灯し、ブザー４５が「ピッピッ」の音声を出力する。また、運用情報書込待機の状態ＳＴ３５のとき作業内容（運用時）読込イベントＥＶ３５−２が発生すると、タグ制御部４２は作業内容等を取得、更新し再び運用情報書込待機の状態ＳＴ３５に遷移する。したがって、同じ作業者ＩＤを保持したまま作業内容等を変更して、検出装置１０への運用情報の書込みを行うことができる。このとき、制御部４１は、作業内容（運用時）読込イベントＥＶ３５−２に応じて、読込成功通知の処理ＰＣ３５−２を行う。読込成功通知の処理ＰＣ３５−２においては、制御部４１の制御のもとＩＤ用発光部４４−１及び作業内容用発光部４４−２がタグ制御部４２の状態に依存した動作（この場合では、ＩＤ用発光部４４−１は青色点灯、作業内容用発光部４４−２はシアン点灯）を行い、書込状態用発光部４４−３が一定時間緑色で点灯し、ブザー４５が「ピッ」の音声を出力する。
また、上述した条件以外でデータ記憶カード５０を読み込むイベントや検出装置１０に書き込むイベントが発生したり、読込あるいは書込が失敗したりした場合は、制御部４１は、エラー通知の処理を行う。このエラー通知の処理においては、制御部４１の制御のもとＩＤ用発光部４４−１及び作業内容用発光部４４−２がタグ制御部４２の状態に依存した動作を行い、書込状態用発光部４４−３が一定時間赤色で点灯し、ブザー４５が「ピーー」の音声を出力する。作業者は、書込状態用発光部４４−３の対応色（青色、黄色、シアン）並びに読込及び書込成功の報知色（緑色）以外の警告色（赤色）での点灯及びブザー４５の警告音により、エラーであることを瞬時に理解することができる。
また、図２Ｆの初期化の処理ＰＣ１０において自己診断の結果エラー（正常な状態でない）となった場合、制御部１１はこの結果に応じて自己診断エラーの処理を実行する。自己診断エラーの処理においては、制御部４１の制御のもとＩＤ用発光部４４−１及び作業内容用発光部４４−２は消灯し、書込状態用発光部４４−３が赤色で点滅し、ブザー４５が「ピーピーピー」の音声を出力する。ブザー４５の警告音により、自己診断エラーであることを瞬時に理解することができる。
また、携帯端末４０が初期化の処理ＰＣ１０を経ないで、すなわち記憶部３３に読込情報がある状態でアクティブの状態ＳＴ３０となった場合は、タグ制御部４２は記憶部３３から読み出した読込情報の種類によって、各状態ＳＴ３３〜ＳＴ３５のいずれかに遷移する。具体的に、例えば、読込情報がネットワーク情報のみであった場合は、作業内容（設置時）読込待機の状態ＳＴ３２に遷移する。また例えば、読込情報が作業者ＩＤのみであった場合は、作業内容（運用時）読込待機の状態ＳＴ３３に遷移する。また例えば、読込情報がネットワーク情報及び検出部１２の種類であった場合は、設置情報書込待機の状態ＳＴ３４に遷移する。また例えば、読込情報が作業者ＩＤ及び作業内容等であった場合は、運用情報書込待機の状態ＳＴ３５に遷移する。
【００４０】
《２．プラント機器状態収集システムの動作》
《２−１．プラント機器の状態の収集》
図３Ａ及び図３Ｂを参照して、プラント機器状態収集システム１が、プラント機器の状態を収集する動作の例について説明する。ここでは、センサモジュール１０は、センサゲートモジュール２０が構築するＷＳＮへ接続されていることを前提に説明する。センサモジュール１０のセンサゲートモジュール２０が構築するＷＳＮへの接続については、《２−２．検出装置（センサモジュール）の取り付け》で説明する。
【００４１】
ステップＳＴ１０１では、センサモジュール１０は、設定された検出間隔毎に設定された検出項目についてセンサモジュール１０が取り付けられたプラント機器の状態を検出し、その検出値をセンサゲートモジュール２０に自身のセンサＩＤと共に送信する。すなわち、ステップＳＴ１０１で送信されるデータは、図３Ｂに示されるデータ１０１である。
【００４２】
ステップＳＴ１０２では、センサゲートモジュール２０は、受信したセンサＩＤ及び検出値を、３Ｇ／ＬＴＥを介してクラウドサーバ３０に自身が構築するＷＳＮのネットワークＩＤと共に送信する。すなわち、ステップＳＴ１０２で送信されるデータは、図３Ｂに示されるデータ１０２である。
【００４３】
ここで、ステップＳＴ１０２では、センサゲートモジュール２０は、自身が構築するＷＳＮに接続されているいずれかのセンサモジュール１０から検出値を受信する度に、そのセンサＩＤ及び検出値をネットワークＩＤと共に送信してもよい。代替的に、ステップＳＴ１０２では、センサゲートモジュール２０は、受信するセンサＩＤ及び検出値を一時的に記憶しておき、設定された送信間隔毎に一時的に記憶された複数のセンサＩＤ及び検出値をネットワークＩＤと共に送信してもよい。
【００４４】
ステップＳＴ１０３では、クラウドサーバ３０は、受信したデータ１０２をクラウドサーバ３０の記憶部３３が記憶するプラント情報（データ００２）に反映させて、プラント情報（データ００２）を更新する。ステップＳＴ１０１、ステップＳＴ１０２及びステップＳＴ１０３は、随時繰り返される。
【００４５】
プラント機器状態収集システム１では、センサモジュール１０が検出したプラント機器の状態が、自動的にクラウドサーバ３０が記憶するプラント情報（データ００２）に反映される。その結果、作業者はプラント機器の状態を検出又は確認する度に、対象のプラント機器が配置されている位置に移動する必要がない。また、管理者は、ステップＳＴ１０４のように、管理端末７０を用いて遠隔でプラント機器の状態を閲覧、編集することができる。
【００４６】
《２−２．検出装置（センサモジュール）の取り付け》
図４Ａ、図４Ｂ及び図４Ｃを参照して、センサモジュール１０をプラント機器に取り付ける（新規に設置及び交換）作業の例について説明する。センサモジュール１０をプラント機器に取り付ける作業は、作業者がセンサモジュール１０をプラント機器に取り付けると、ステップＳＴ２０１に進む。なお、作業者がセンサモジュール１０をプラント機器に取り付けたときは、センサモジュール１０は例えば電源ＯＦＦ状態（休止状態を含む）又はスリープ状態である。
【００４７】
ステップＳＴ２０１では、作業者は、ノッカー４０に作業カード５０からセンサモジュール１０に関する設置情報を読み込む。ステップＳＴ２０１で取得されるデータは、図４Ｂに示されるデータ２０１である。すなわち、ステップＳＴ２０１で取得されるデータ２０１は、センサモジュール１０をセンサゲートモジュール２０が構築するＷＳＮに接続するためのネットワーク情報及び検出部１２の種類を含む。
【００４８】
データ２０１のネットワーク情報には、ネットワークＩＤ及びこのネットワークＩＤで
特定されるＷＳＮに接続するためのネットワークパスワードが含まれる。例えばセンサモジュール１０には、データ２０１の検出部１２の種類に応じて、所定の動作条件（検出項目及び検出間隔の初期値）が設定されている。検出部１２の種類は、例えば、センサモジュール１０が取り付けられるプラント機器がスチームトラップであるときは温度センサが選択され、センサモジュール１０が取り付けられるプラント機器が回転機であるときは温度センサと振動センサが選択される。
【００４９】
図４Ｃには、ノッカー４０を用いた設置情報読込作業の例が示されている。作業者は、まずアクティブの状態ＳＴ３０であるノッカー４０を任意のネットワークＩＤカード５０−１にかざすことでネットワーク情報を取得し、次いでノッカー４０を任意の作業内容（設置時）カード５０−３にかざすことで検出部１２の種類を取得する。このとき、スライドスイッチ４０−２のオンから開始すれば、ノッカー４０のタグ制御部４２の状態、イベント及びイベント後の処理は、ＩＤ読込待機の状態ＳＴ３１、ネットワークＩＤ読込イベントＥＶ３１−１、読込成功通知の処理ＰＣ３１−１、作業内容（設置時）読込待機の状態ＳＴ３２、作業内容（設置時）読込イベントＥＶ３２−１、読込成功通知の処理ＰＣ３２−１、設置情報書込待機の状態ＳＴ３４の順に生じる。これに応じた発光部４４及びブザー４５の動作は、ＩＤ用発光部４４−１の青色点滅、書込状態用発光部４４−３の緑色一時点灯及びブザー４５の「ピッ」音声、ＩＤ用発光部４４−１の青色点灯及び作業内容用発光部４４−２の黄色点滅、書込状態用発光部４４−３の緑色一時点灯及びブザー４５の「ピッ」音声、ＩＤ用発光部４４−１の青色点灯，作業内容用発光部４４−２の黄色点灯及び書込状態用発光部４４−３の緑色点滅の順に行われる。したがって、発光部４４及びブザー４５の動作によって、読み込むべき情報の内容と順序を瞬時に理解でき、ネットワーク情報と検出部１２の種類の取得を容易に行うことができる。
【００５０】
ステップＳＴ２０２では、作業者がノッカー４０をセンサモジュール１０にかざすことによって、ノッカー４０に格納された設置情報がセンサモジュール１０のタグ部１４に自動的に格納される。ステップＳＴ２０２でセンサモジュール１０のタグ部１４に格納される設置情報はデータ２０１である。
【００５１】
図４Ｃには、ノッカー４０を用いた設置情報書込作業の例が示されている。作業者は、ノッカー４０をセンサモジュール１０にかざすことで設置情報をセンサモジュール１０のタグ部１４に書き込む。このとき、ノッカー４０のタグ制御部４２の状態、イベント及びイベント後の処理は、設置情報書込待機の状態ＳＴ３４、設置情報書込イベントＥＶ３４−１、書込成功通知の処理ＰＣ３４−１の順に生じる。これに応じた発光部４４及びブザー４５の動作は、ＩＤ用発光部４４−１の青色点灯，作業内容用発光部４４−２の黄色点灯及び書込状態用発光部４４−３の緑色点滅、書込状態用発光部４４−３の緑色一時点灯及びブザー４５の「ピッピッ」音声の順に行われる。したがって、発光部４４及びブザー４５の動作によって、作業者はセンサモジュール１０への情報の書込みの成否を瞬時に理解することができる。
【００５２】
ステップＳＴ２０３では、センサモジュール１０は、ステップＳＴ２０２でデータ２０１が格納されたときに、電源ＯＮ状態となる。センサモジュール１０が電源ＯＮ状態となると、ステップＳＴ２０４に進む。ステップＳＴ２０４では、センサモジュール１０の制御部１１は、タグ部１４に記憶されたデータ２０１を取得する。
【００５３】
ステップＳＴ２０５では、センサモジュール１０は、センサゲートモジュール２０にネットワーク参加リクエストを送信する。ステップＳＴ２０５のネットワーク参加リクエストで送信されるデータは、図４Ｂに示されるセンサＩＤ及びネットワーク情報を含むデータ２０２である。
【００５４】
ステップＳＴ２０６では、ネットワーク参加リクエストを受信したセンサゲートモジュール２０は、ネットワーク参加リクエストを送信したセンサモジュール１０のネットワークへの参加の可否を判定する。すなわち、センサゲートモジュール２０は、ネットワーク参加リクエストに含まれるネットワーク情報のネットワークＩＤ及びネットワークパスワードと、自身が構築するＷＳＮのネットワークＩＤ及びネットワークパスワードと一致するか否かを判定する。ネットワーク参加リクエストに含まれるネットワーク情報のネットワークＩＤ及びネットワークパスワードと、自身が構築するＷＳＮのネットワークＩＤ及びネットワークパスワードとが一致したときはステップＳＴ２０８に進む。その一方で、ネットワーク参加リクエストに含まれるネットワーク情報のネットワークＩＤ及びネットワークパスワードと、自身が構築するＷＳＮのネットワークＩＤ及びネットワークパスワードとが一致しなかったときは、ステップＳＴ２０８、ステップＳＴ２０９、ステップＳＴ２１０及びステップＳＴ２１１が実行されることなく、終了する。
【００５５】
ステップＳＴ２０７では、センサモジュール１０は、ステップＳＴ２０５でネットワーク参加リクエストを送信したときから、ネットワーク参加リクエスト中であることを報知する。例えば、センサモジュール１０の報知部１５がＬＥＤを含むとき、センサモジュール１０の制御部１１は、ＬＥＤを例えば点滅させることで、ネットワーク参加リクエスト中であることを報知する。作業者は、例えばＬＥＤが点滅していることを視認することによって、センサモジュール１０からネットワーク参加リクエストが送信されたことを認識できる。
【００５６】
ステップＳＴ２０８では、センサゲートモジュール２０は、センサモジュール１０のネットワークへの参加を許可し、自身が構築するＷＳＮへセンサモジュール１０を接続させる。ステップＳＴ２０９では、センサゲートモジュール２０は、ネットワーク構築情報（データ００１）にステップＳＴ２０８でネットワーク参加の許可をしたセンサモジュール１０のセンサＩＤ及び接続状態を追加してクラウドサーバ３０に送信する。
【００５７】
ステップＳＴ２１０では、センサモジュール１０は、ネットワークへの参加が完了したことを報知する。例えば、センサモジュール１０の制御部１１は、ステップＳＴ２０７で点滅させたＬＥＤを消灯させることで、ネットワークへの参加が完了したことを報知する。作業者は、例えばＬＥＤが消灯したことを視認することによって、センサモジュール１０のＷＳＮへの接続が完了したことを認識できる。
【００５８】
ステップＳＴ２１１では、クラウドサーバ３０は、クラウドサーバ３０の記憶部３３が記憶するプラント情報（データ００２）に、ステップＳＴ２１１で受信したデータ００１を反映させる。これによりネットワークへの参加が完了したセンサモジュール１０の情報が閲覧可能となる。管理者は、管理端末７０を用いて、クラウドサーバ３０の記憶部３３が記憶するプラント情報（データ００２）を確認することができる。また、作業者は、ノッカー４０に格納した設置情報を用いて、さらに他のセンサモジュール１０をプラント機器に取り付ける作業を行うことができる。また、センサモジュール１０は、ノッカー４０から取得した検出部１２の種類に応じて、自身の検出項目及び検出間隔を設定する。
【００５９】
プラント機器状態収集システム１は、ノッカー４０をネットワークＩＤカード５０−１及び作業内容（設置時）カード５０−３にかざすことによって、容易にネットワークＩＤを含むネットワーク情報及び検出部１２の種類を取得することができ、さらにノッカー４０をセンサモジュール１０にかざすことによって、ノッカー４０に格納したネットワーク情報及び検出部１２の種類を自動的にセンサモジュール１０に設定することができる。すなわち、例えば、タブレット端末のように情報を手動入力するための煩雑な入力操作をする必要がない。したがって、ノッカー４０への情報取得作業を簡素化することによって、センサモジュール１０を設置する作業を簡素化することができる。
【００６０】
また、プラント機器状態収集システム１は、例えば、ノッカー４０にタッチパネル式のディスプレイモジュールなどの手動入力のための表示部及び入力部を備えることが不要である。したがって、ノッカー４０に表示部及び入力部を備える場合と比較して、防爆、防塵及び／又は防水のための構造を容易に実現することができる。
【００６１】
また、プラント機器状態収集システム１は、ノッカー４０に入力した設置情報がセンサモジュール１０のタグ部１４に記憶されたときに、センサモジュール１０が電源ＯＮ状態となる。したがって、センサモジュール１０をプラント機器に取り付けた後に、ネットワークに接続するまでの待機時間が長時間になるときであっても電源ＯＮ状態で待機する必要がないことによってバッテリの消費を抑えることができる。さらに、作業者がセンサモジュール１０の電源スイッチ等を操作してセンサモジュール１０を電源ＯＮ状態にする必要がないことによって、センサモジュール１０をプラント機器に取り付ける作業を簡素化することができる。
【００６２】
《２−３．中継器の取り付け》
中継器６０をプラント内に取り付ける作業は、例えば、《２−２．検出装置（センサモジュール）の取り付け》のステップＳＴ２０２の後に、十分な時間が経過しても、プラント機器へ取り付けたセンサモジュール１０がＷＳＮに接続されないときに行う作業である。中継器６０をプラント内に取り付ける作業の例は、《２−２．検出装置（センサモジュール）の取り付け》で説明された作業と概ね同様である。センサモジュール１０の取り付け作業と異なる点としては、中継器６０は、検出部１２を有さないため、ステップＳＴ２０１でノッカー４０に設置情報を取得する際に、検出部１２の種類として「センサなし」の情報が格納された作業内容（設置時）カード５０−３から「センサなし」の情報を取得する点である。
【００６３】
以上のように、中継器６０をプラント内に取り付ける作業は、《２−２．検出装置（センサモジュール）の取り付け》で説明された作業と概ね同様である。したがって、中継器６０をプラント内に取り付ける作業においても、《２−２．検出装置（センサモジュール）の取り付け》で説明された効果に相当する効果が得られる。その結果、プラント機器状態収集システム１では、中継器６０をプラント内に取り付ける作業が簡素化される。
【００６４】
《２−４．作業内容の送信》
図５Ａ、図５Ｂ及び図５Ｃを参照して、作業者の作業内容を送信するときの動作の例について説明する。以下の例は、プラント機器状態収集システム１の運用時にプラント機器の定期点検を行った場合を示している。このほか、作業者の作業タイミングとしては、プラント機器の状態に異常状態が発生し、プラント機器を修理したとき、センサモジュール１０の動作を変更するときなどがある。すなわち、作業内容の送信は作業者が作業を行った後あるいは作業と同時に行われる。
【００６５】
ステップＳＴ３０１では、作業者は、ノッカー４０に作業カード５０から作業者自身の作業内容に関する運用情報を読み込む。ステップＳＴ３０１で取得されるデータは、図５Ｂに示されるデータ３０１である。すなわち、ステップＳＴ３０１で取得されるデータ３０１は、作業者自身の作業者ＩＤ及び作業内容を含む。
【００６６】
データ３０１の作業内容は、作業者が行ったあるいは行う作業に応じて適宜選択される。例えば、定期点検においてプラント機器に異常がない場合は、作業内容として「異常なし」が選択される。異常がある場合は、適宜「異常あり（注意レベル）」、「異常あり（警告レベル）」などが選択される。プラント機器の修繕を行った場合は、作業内容として「修理完了」が選択される。プラント機器の動作を変更する場合は、適宜「停止（自動復旧不可）」、「再接続」、「初期化」などが選択される。
【００６７】
図５Ｃには、ノッカー４０を用いた運用情報読込作業の例が示されている。作業者は、まずノッカー４０を自身の作業者ＩＤカード５０−２にかざすことで作業者ＩＤを取得し、次いでノッカー４０を任意の作業内容（運用時）カード５０−４にかざすことで作業内容を取得する。このとき、スライドスイッチ４０−２のオンから開始すれば、ノッカー４０のタグ制御部４２の状態、イベント及びイベント後の処理は、ＩＤ読込待機の状態ＳＴ３１、作業者ＩＤ読込イベントＥＶ３１−２、読込成功通知の処理ＰＣ３１−２、作業内容（運用時）読込待機の状態ＳＴ３３、作業内容（運用時）読込イベントＥＶ３３−１、読込成功通知の処理ＰＣ３３−１、運用情報書込待機の状態ＳＴ３５の順に生じる。これに応じた発光部４４及びブザー４５の動作は、ＩＤ用発光部４４−１の青色点滅、書込状態用発光部４４−３の緑色一時点灯及びブザー４５の「ピッ」音声、ＩＤ用発光部４４−１の青色点灯及び作業内容用発光部４４−２のシアン点滅、書込状態用発光部４４−３の緑色一時点灯及びブザー４５の「ピッ」音声、ＩＤ用発光部４４−１の青色点灯，作業内容用発光部４４−２のシアン点灯及び書込状態用発光部４４−３の緑色点滅の順に行われる。したがって、発光部４４及びブザー４５の動作によって、読み込むべき情報の内容と順序を瞬時に理解でき、ネットワーク情報と検出部１２の種類の取得を容易に行うことができる。
【００６８】
ステップＳＴ３０２では、作業者がノッカー４０をセンサモジュール１０にかざすことによって、ノッカー４０に格納された運用情報がセンサモジュール１０のタグ部１４に自動的に格納される。ステップＳＴ３０２でセンサモジュール１０のタグ部１４に格納される運用情報はデータ３０１である。
【００６９】
図５Ｃには、ノッカー４０を用いた運用情報書込作業の例が示されている。作業者は、ノッカー４０をセンサモジュール１０にかざすことで運用情報をセンサモジュール１０のタグ部１４に書き込む。このとき、ノッカー４０のタグ制御部４２の状態、イベント及びイベント後の処理は、運用情報書込待機の状態ＳＴ３５、運用情報書込イベントＥＶ３５−１、書込成功通知の処理ＰＣ３５−１の順に生じる。これに応じた発光部４４及びブザー４５の動作は、ＩＤ用発光部４４−１の青色点灯，作業内容用発光部４４−２のシアン点灯及び書込状態用発光部４４−３の緑色点滅、書込状態用発光部４４−３の緑色一時点灯及びブザー４５の「ピッピッ」音声の順に行われる。したがって、発光部４４及びブザー４５の動作によって、作業者はセンサモジュール１０への情報の書込みの成否を瞬時に理解することができる。
【００７０】
ステップＳＴ３０３では、センサモジュール１０は、ステップＳＴ３０２でデータ３０１が格納されたときに、電源ＯＮ状態となる。センサモジュール１０が電源ＯＮ状態となると、ステップＳＴ３０４に進む。ステップＳＴ３０４では、センサモジュール１０の制御部１１は、タグ部１４に記憶されたデータ３０１を取得する。
【００７１】
ステップＳＴ３０５では、センサモジュール１０は、センサゲートモジュール２０に運用情報を送信する。ステップＳＴ３０５で送信されるデータは、図５Ｂに示されるセンサＩＤ、作業者ＩＤ及び作業内容を含むデータ３０２である。ステップＳＴ３０６では、センサモジュール１０は、ステップＳＴ３０５で運用情報を送信したときから、運用情報送信中であること報知する。例えば、センサモジュール１０の報知部１５がＬＥＤを含むとき、センサモジュール１０の制御部１１は、ＬＥＤを例えば点滅させることで、運用情報送信中であることを報知する。作業者は、例えばＬＥＤが点滅していることを視認することによって、センサモジュール１０から運用情報が送信されたことを認識できる。
【００７２】
ステップＳＴ３０７では、センサゲートモジュール２０は、センサモジュール１０から受信した運用情報をクラウドサーバ３０に送信する。ステップＳ３０７で送信されるデータは、図５Ｂに示されるネットワークＩＤ、センサＩＤ、作業者ＩＤ及び作業内容を含むデータ３０３である。ステップＳ３０８では、センサゲートモジュール２０は、センサモジュール１０に運用情報送信完了情報を送信する。
【００７３】
ステップＳ３０９では、センサモジュール１０は、運用情報の送信が完了したことを報知する。例えば、センサモジュール１０の制御部１１は、ステップＳＴ３０６で点滅させたＬＥＤを消灯させることで、運用情報の送信が完了したことを報知する。作業者は、例えばＬＥＤが消灯したことを視認することによって、クラウドサーバ３０への運用情報の送信が完了したことを認識できる。
【００７４】
ステップＳＴ３１０では、クラウドサーバ３０は、クラウドサーバ３０の記憶部３３が記憶するプラント情報（データ００２）に、ステップＳＴ３０７で受信した運用情報を反映させる。これにより作業者による作業内容の情報が閲覧可能となる。管理者は、管理端末７０を用いて、クラウドサーバ３０の記憶部３３が記憶するプラント情報（データ００２）を確認し、作業者による作業内容を確認することができる。また、作業者は、ノッカー４０に格納した運用情報を用いて、さらに作業を行った後あるいは作業と同時に他のセンサモジュール１０を介して作業内容の送信を行うことができる。
【００７５】
ステップＳＴ３１１では、センサモジュール１０は、運用情報にセンサモジュール１０の動作を変更する動作内容が含まれる場合、この情報に応じて動作変更を行う。運用情報にセンサモジュール１０の動作内容が含まれない場合はステップＳＴ３０６の処理は行われない。
【００７６】
プラント機器状態収集システム１は、ノッカー４０を作業者ＩＤカード５０−２及び作業内容（運用時）カード５０−４にかざすことによって、容易に作業者ＩＤ及び作業内容を取得することができ、さらにノッカー４０をセンサモジュール１０にかざすことによって、ノッカー４０に格納した作業者ＩＤ及び作業内容をセンサモジュール１０を介してクラウドサーバ３０に送信することができる。すなわち、例えば、タブレット端末のように情報を手動入力するための煩雑な入力操作をする必要がない。したがって、ノッカー４０への情報取得作業を簡素化することによって、作業内容を連絡する作業を簡素化することができる。
【００７７】
以上のように、本実施形態であるプラント機器状態収集システム１によれば、所定の測定対象（プラント機器）の状態を検出する検出装置１０の設置に係る作業及び／または作業者の作業内容の連絡に係る作業を簡素化することができる。この作用及び効果は、以下の構成によって実現することができる。
【００７８】
プラント機器状態収集システム１は、検出装置１０と、ネットワーク構築装置２０と、データ記憶装置３０と、データ記憶カード５０と、携帯端末４０と、を備え、
検出装置１０は、所定の測定対象の状態を検出する検出部１２と、所定の情報を非接触で記憶可能なタグ部１４とを有し、少なくとも検出部１２が検出した前記状態及び検出装置１０を特定する検出装置特定情報（センサＩＤ）を、ネットワーク構築装置２０によって構築される前記ネットワークを介してネットワーク構築装置２０に送信し、
データ記憶装置３０は、少なくともネットワーク構築装置２０から受信する前記状態及び前記検出装置特定情報を格納する記憶部３３を有し、
データ記憶カード５０は、前記情報を格納し、かつ、携帯端末４０と非接触で通信可能であり、
携帯端末４０は、データ記憶カード５０から前記情報を非接触で自動的に読み取り可能であり、かつ、検出装置１０のタグ部１４に読み取った前記情報を非接触で自動的に格納させることが可能なタグ制御部４２を有し、
検出装置１０は、タグ部１４に前記情報が格納された場合に、所定の動作を行う。
【００７９】
また、データ記憶カード５０として、前記情報として前記ネットワークに接続するためのネットワーク特定情報（ネットワークＩＤ）を含むネットワーク情報を格納する第１のデータ記憶カード（ネットワークＩＤカード５０−１）を少なくとも含み、
検出装置１０は、タグ部１４に前記ネットワーク情報が格納された場合に、ネットワーク構築装置２０に少なくとも前記ネットワーク特定情報を送信し、
ネットワーク構築装置２０は、前記ネットワーク特定情報を用いて検出装置１０の前記ネットワークへの接続を許可するか否かを判定する。
【００８０】
また、データ記憶カード５０として、前記情報として検出部１２の種類を示す種類情報を格納する第２のデータ記憶カード（作業内容（設置時）カード５０−３）をさらに含み、
携帯端末４０のタグ制御部４２は、前記第１のデータ記憶カードから前記ネットワーク情報を非接触で自動的に読み取った後に、前記第２のデータ記憶カードから前記種類情報を自動的に読み取り可能となり、かつ、検出装置１０のタグ部１４に読み取った前記ネットワーク情報と前記種類情報とを非接触で自動的に格納させることが可能であり、
検出装置１０は、タグ部１４に格納された前記種類情報に対応する検出部１２が検出した前記状態及び前記検出装置特定情報を、前記ネットワークを介してネットワーク構築装置２０に送信する。
【００８１】
データ記憶カード５０として、前記情報として作業者を特定する作業者特定情報（作業者ＩＤ）を格納する第３のデータ記憶カード（作業者ＩＤカード５０−２）と、前記情報として作業者の作業内容を示す作業内容情報を格納する第４のデータ記憶カード（作業内容（設置時）カード５０−４）と、をさらに含み、
携帯端末４０のタグ制御部４２は、前記第３のデータ記憶カードから前記作業者特定情報を非接触で自動的に読み取り可能であるとともに、前記作業者特定情報を読み取った後に、前記第４のデータ記憶カードから前記作業内容情報を読み取り可能となり、かつ、検出装置１０のタグ部１４に読み取った前記作業者特定情報と前記作業内容情報を非接触で自動的に格納させることが可能であり、
検出装置１０は、タグ部１４に格納された前記作業者特定情報及び前記作業内容情報と前記検出装置特定情報とを、前記ネットワークを介してネットワーク構築装置２０に送信し、
データ記憶装置３０は、ネットワーク構築装置２０から受信した前記作業者特定情報と前記作業内容情報と前記検出装置特定情報とを記憶部３３に格納する。
【００８２】
また、データ記憶カード５０は、第１のパスワード情報を格納し、携帯端末４０のタグ制御部４２に対して前記第１のパスワード情報を認証した場合に、携帯端末４０のタグ制御部４２に対して前記情報の読み取りを許可してもよい。具体的には、データ記憶カード５０のＩＣ５１と携帯端末４０のタグ制御部４２とに予め第１のパスワード情報を格納しておき、携帯端末４０のタグ制御部４２から読み込み信号とともに前記第１のパスワードをデータ記憶カード５０に送信する。データ記憶カード５０のＩＣ５１は、受信した前記第１のパスワードが自身に格納される前記第１のパスワードと一致する場合に、自身に格納される前記情報を携帯端末４０のタグ制御部４２に送信する。これにより、所定の携帯端末４０以外の機器からの情報の読み取りを制限でき、情報の漏洩を防止することができる。
【００８３】
また、検出装置１０のタグ部１４は、第２のパスワード情報を格納し、携帯端末４０のタグ制御部４２に対して前記第２のパスワード情報を認証した場合に、携帯端末４０のタグ制御部４２に対して前記情報の書き込みを許可してもよい。具体的には、検出装置１０のタグ部１４と携帯端末４０のタグ制御部４２とに予め第２のパスワード情報を格納しておき、携帯端末４０のタグ制御部４２から書き込み信号とともに前記第２のパスワードを検出装置１０に送信する。検出装置１０のタグ部１４（タグＩＣ１４−１）は、受信した前記第２のパスワードが自身に格納される前記第２のパスワードと一致する場合に、書き込み信号に含まれる情報を格納する。これにより、所定の携帯端末４０以外の機器からの情報の書き込みを制限でき、誤った情報の格納及び送信を防止することができる。
【００８４】
また、データ記憶カード５０として、複数種類のデータ記憶カード５０（ネットワークＩＤカード５０−１、作業者ＩＤカード５０−２、作業内容（設置時）カード５０−３、作業内容（運用時）カード５０−４）を含み、複数種類のデータ記憶カード５０は、各々がその外装部に各々の種類に対応する複数種類の対応色（青色、黄色あるいはシアン）を有し、
携帯端末４０は、前記複数種類の対応色の少なくともいずれかで発光可能な第１の発光部（ＩＤ用発光部４４−１及び作業内容用発光部４４−２）と、タグ制御部４２が複数種類のデータ記憶カード５０のいずれかの読み込み待ち及び読み込み完了の少なくともいずれかである場合に、前記第１の発光部を読み込み待ち及び読み込み完了の少なくともいずれかであるデータ記憶カード５０の種類に対応する対応色で発光させる発光制御部（制御部４１）と、を備えてなる。これによれば、作業者は、携帯端末４０にかざすべきデータ記憶カード５０を瞬時に理解することができ、携帯端末４０への情報取得作業をさらに容易にすることができる。
【００８５】
携帯端末４０の前記発光制御部は、複数種類のデータ記憶カード５０のいずれかの読み込み待ちである場合に、前記第１の発光部を読み込み待ちのデータ記憶カード５０の種類に対応する対応色で第１の状態（点滅）にて発光させ、複数種類のデータ記憶カード５０のいずれかの読み込み完了である場合に、前記第１の発光部を読み込み完了のデータ記憶カード５０の種類に対応する対応色で前記第１の状態とは異なる第２の状態（点灯）にて発光させる。これによれば、作業者は、携帯端末４０にかざすべきデータ記憶カード５０と情報の読み込み完了を瞬時に理解することができ、携帯端末４０への情報取得作業をさらに容易にすることができる。
【００８６】
また、前記第１の発光部は、列状に配置された複数の発光部からなる。これによれば、携帯端末４０にかざすべきデータ記憶カード５０の順序を瞬時に理解することができ、携帯端末４０への情報取得作業をさらに容易にすることができる。
【００８７】
また、携帯端末４０は、前記複数種類の対応色と異なる第１の報知色（緑色）及び第２の報知色（赤色）で発光可能な第２の発光部（書込状態用発光部４４−３）を備え、
前記発光制御部は、タグ制御部４２が検出装置１０のタグ部１４への書き込み待ち及び書き込み完了の少なくともいずれかである場合に、前記第２の発光部を前記第１の報知色で発光させ、タグ制御部４２がタグ部１４への書き込み失敗、複数種類のデータ記憶カード５０のいずれかの読み込み失敗及び初期化に伴う自己診断機能におけるエラーの少なくともいずれかである場合に、前記第２の発光部を前記第２の報知色で発光させる。これによれば、携帯端末４０の書き込みに関する状態及び再読み込み等を要する状態を瞬時に理解することができ、携帯端末４０による書込作業を容易にすることができる。
【００８８】
また、携帯端末４０は、音声を出力可能な音声出力部（ブザー４５）と、タグ制御部４２が複数種類のデータ記憶カード５０のいずれかの読み込み完了及び読み込み失敗、検出装置１０のタグ部１４への書き込み待ち及び書き込み失敗並びに初期化に伴う自己診断機能におけるエラーの少なくともいずれかである場合に、前記音声出力部に所定の音声を出力させる音声制御部（制御部４１）と、を備えてなる。これによれば、されに音声によっても携帯端末４０の状態を瞬時に理解することができ、携帯端末４０による情報取得作業及び書込作業を容易にすることができる。
【００８９】
本発明は、上述の例示的な実施形態に限定されず、また、当業者は、上述の例示的な実
施形態を特許請求の範囲に含まれる範囲まで、容易に変更することができるであろう。例えば、本発明の状態収集システムにおいて、測定対象はプラント内のプラント機器に限定されるものではなく、主には温度や振動などによって状態を判断する機器であれば広く適用可能である。また、本実施形態においては、読込成功通知の処理ＰＣ３１−１、３１−２、３２−１、３２−２、３２−３、３３−１、３３−２、３３−３、３４−２、３５−２で書込状態用発光部４４−３を一時緑色で点灯させたが、書込状態用発光部４４−３を発光させず、ブザー３５による音声出力のみを行ってもよい。また、前記エラー通知の処理において、ＩＤ用発光部４４−１あるいは読込状態用発光部４４−２（第１の発光部）を対応色以外の警告色（例えば赤色）で発光（例えば一時点灯）させてもよい。
【符号の説明】
【００９０】
１・・・プラント機器状態収集システム、１０・・・検出装置、１１・・・検出装置の制御部、１２・・・検出装置の検出部、１３・・・検出装置のネットワーク接続部、１４・・・検出装置のタグ部、１５・・・検出装置の報知部、２０・・・ネットワーク構築装置、３０・・・データ記憶装置、３３・・・データ記憶装置の記憶部、４０・・・携帯端末、４１・・・携帯端末の制御部、４２・・・携帯端末のタグ制御部、４４・・・携帯端末の発光部、４５・・・携帯端末のブザー、５０・・・データ記憶カード。
【図１】
2018079306.tif 000003
【図２Ａ】
2018079306.tif 000004
【図２Ｂ】
2018079306.tif 000005
【図２Ｃ】
2018079306.tif 000006
【図２Ｄ】
2018079306.tif 000007
【図２Ｅ】
2018079306.tif 000008
【図２Ｆ】
2018079306.tif 000009
【図２Ｇ】
2018079306.tif 000010
【図２Ｈ】
2018079306.tif 000011
【図３Ａ】
2018079306.tif 000012
【図３Ｂ】
2018079306.tif 000013
【図４Ａ】
2018079306.tif 000014
【図４Ｂ】
2018079306.tif 000015
【図４Ｃ】
2018079306.tif 000016
【図５Ａ】
2018079306.tif 000017
【図５Ｂ】
2018079306.tif 000018
【図５Ｃ】
2018079306.tif 000019
【国際調査報告】
2018079306.tif 000020
2018079306.tif 000021
2018079306.tif 000022